(57)【要約】【課題】香水スプレーノズルの漏れを防ぐ構造を提供する。【解決手段】ノズル、固定ケース、内側のはめ込みパーツ、回転軸、液体導入管、外側カバーを備えていて、前述ノズルが気体と香水液の通りがよい隙間を形成することにより、噴出後の香水の霧が均一である。そして、ノズルを使用開始後、使用しない時には一定の角度でノズルを回転させ、ノズル内部の通り道を完全に閉鎖して、香水液が漏れ出すのを防ぐことが可能である。【選択図】図３
0003127612.tif 000002
【実用新案登録請求の範囲】
【請求項１】
ノズル、固定ケース、内側のはめ込みパーツ、回転軸、液体導入管、外側カバーを備え、そのうち、回転軸が内側のはめ込みパーツに設置されて、香水液が回転軸及びそれに接続するノズルから噴出されて、
固定ケースの上方にはくぼんだ環状槽があって、
内側のはめ込みパーツの内部にある収納室上方には結合本体があり、内側のはめ込みパーツ下端の接続部分が固定ケースの中に入り込むように設置され、収納室下方に一体で接続された接続部分が液体導入管に接続されて、内側のはめ込みパーツの収納室底部の内部には止まり、及び、底面には中心が偏った導入穴があって、この導入穴が接続部分に連結して通じていて、
回転軸内には通り穴があって、外縁の中ほどには軸方向に液体導入槽があって、底部にはくぼみ槽及び突起があり、
回転軸と内側のはめ込みパーツが結合して、回転軸の通り穴は内側のはめ込みパーツの収納室を通じ、回転軸底部のくぼみ槽と内側のはめ込みパーツの止まりの間に、回転軸が回転する範囲を制限して、回転軸の回転によって回転軸底部の突起と内側のはめ込みパーツの導入穴の対応する位置をコントロールして、突起が導入穴に対応する状態によって開閉を行なって、香水液を通過させるか否かをコントロールすることを特徴とする、香水スプレーノズルの漏れを防ぐ構造。
【請求項２】
固定ケースの上方にあるくぼんだ環状槽内に、内側のはめ込みパーツの結合本体が収納されて結合し、固定ケースのくぼんだ環状槽が、その平らな接続部と結合本体の平らに切断された面ではめ込まれて組み合わさる、請求項１に記載の香水スプレーノズルの漏れを防ぐ構造。
【請求項３】
回転軸に摩擦をやわらげることができるくぼんだ進入部がある、請求項１に記載の香水スプレーノズルの漏れを防ぐ構造。
【請求項４】
内側のはめ込みパーツに収納室に通じる空気穴がある、請求項１に記載の香水スプレーノズルの漏れを防ぐ構造。
【考案の詳細な説明】
【技術分野】
【０００１】
本考案は組み立てが簡単で、スプレーした霧が均一な香水スプレーノズルの漏れを防ぐ構造に関する。本考案の香水スプレーノズルの構造は、特に、そのノズルの閉鎖構造が、香水スプレーが運搬される過程や、温度が高い時に漏れを生じるという問題を解決するという点を特徴とする。
【背景技術】
【０００２】
一般によく見られる従来の噴霧式香水スプレーは、プレスボールを利用して気体を噴出し、香水液と共に噴出するようになっている。
【考案の開示】
【考案が解決しようとする課題】
【０００３】
しかしながら、このタイプのノズルユニットを構成するパーツが小さく、組み立てが困難である上、パーツをノズル本体に取り付ける際、容易に位置がずれてしまう。このため、組み立てが困難で、不良品を出す確率が高くなる。さらに、その液体が流出する通り道が狭く、詰まりやすいという欠点があるため、香水液が噴霧される際に均一ではなくなることが考えられる。その上、噴霧式の香水スプレーは、運搬される過程や、温度が高い時に容易に漏れを生じるという欠点がある。
【課題を解決するための手段】
【０００４】
本考案の香水スプレーノズルの漏れを防ぐ構造は、ノズル、固定ケース、内側のはめ込みパーツ、回転軸、液体導入管、外側カバーを備えていて、前述ノズルが気体と香水液の通りがよい隙間を形成することにより、噴出後の香水の霧が均一である。そして、ノズルを使用開始後、使用しない時には一定の角度でノズルを回転させ、ノズル内部の通り道を完全に閉鎖して、香水液が漏れ出すのを防ぐことが可能である。
【考案の効果】
【０００５】
本考案は、閉鎖できる香水スプレーノズルの漏れを防ぐ構造を提供して、ノズルが取り付けられたあと、あるいは、使用しない時、小さな角度の回転ノズルによってノズル内部の通り道を完全に閉鎖して、香水液が外に漏れるのを防ぎ、使用時にはわずかな角度でノズルを反対方向に回転させると、その通り道が開いて使用可能になるという特徴がある。
また、本考案は、気体と香水液の通りがよい隙間を形成させることにより、その隙間の形成が気体と香水液が混合して噴出するのを妨げることなく、噴出後の香水の霧が均一で、且つ、組み合わせるパーツの組み立て方法の改良により、香水を噴霧する際に、開口部の位置がずれることで香水の霧が均一さに欠けるのを防ぐ。
【考案を実施するための最良の形態】
【０００６】
図１から図３及び図６を参照いただきたい。本考案の香水スプレーノズルの漏れを防ぐ構造は、ノズル１、固定ケース２、内側のはめ込みパーツ３、回転軸４、液体導入管５、外側カバー６を備えて構成される。そのうち、固定ケース２内には、内側のはめ込みパーツ３、回転軸４が取り付けられ、内側のはめ込みパーツ３の末端が液体導入管５に接続されて、固定ケース２外部には外側カバー６が取り付けられる。
【０００７】
ノズル１の構造は、図１及び図２を参照いただきたい。前述ノズル１の本体１１、ノズルヘッド１２、空気導入パーツ１３、空気供給接続管１４、ボール１５はあらかじめ組み立てられた後、キャップ１６と結合する。あらかじめ組み立てられた構造は、組立作業を便利にし、同時に本体１１結合時に位置がずれることがない。
【０００８】
前述の本体１１には水平方向の収納穴１１１及び軸方向の通り穴１１２があって、この二つの穴はT字型につながっている。水平方向の収納穴１１１は組み立て後のノズルヘッド１２、及び、空気供給接続管１４を取り付けて固定するようになっている。前述空気導入パーツ１３の軸体１３１の中心は、空気穴１３４が空いていて、前述軸体１３１の一面には数個の切り込み１３２がある。前述軸体１３１のもう一方の表面には、軸方向に数個の液体導入槽１３３があって、軸体１３１のもう一方の先端（液体導入槽１３３に近い位置）には、数個の突起点１３５がある。
【０００９】
前述空気供給接続管１４の一端は、外側にプレスボールが設置されて、気体の発生によって、香水液を噴出させるようになっている。空気供給接続管１４のもう一方の先端には、結合穴１４１が取り付けられ、前述結合穴１４１内にはボール１５が設置され、結合穴１４１外部の周囲には突起した環状部分１４３がある。
【００１０】
ノズル１のパーツを結合させる時、前述空気導入パーツ１３は軸体１３１の結合する先端が空気供給接続管１４の結合穴１４１の中にはめ込まれて、軸体１３１のもう一方の先端は、一部がノズルヘッド１２の作用室１２１内部に結合される。作用室１２１内部に結合される液体導入槽１３３は、一部が外側に露出する（つまり、一部がノズルヘッド１２及び空気供給接続管１４と結合しない）ことにより、液体導入槽１３３から香水液が導き入れられる。ノズルヘッド１２、空気導入パーツ１３、突起した環状部分１４の組み立てが完了後、直接本体１１の水平方向の収納穴１１１内に設置して、固定する。前述水平方向の収納穴１１１内壁面には、くぼんだ環状槽１１３と空気供給接続管１４の突起した環状部分１４３が互いにはまり込んで固定される。
【００１１】
さらに、図２及び図８を参照いただきたい。組み立て後のノズルヘッド１２、空気導入パーツ１３、空気供給接続管１４が、本体１１の水平方向の収納穴１１１内に取り付けられた時、ノズルヘッド１２は水平方向の収納穴１１１先端に設置されて、ノズルヘッド１２及び空気供給接続管１４の間に露出する空気導入パーツ１３の軸体１３１部分は、軸方向の通り穴と通じ合う。ノズルヘッド１２及び空気供給接続管１４の間の空気導入パーツ１３の前後両端には、それぞれ突起点１３５及び切り込み１３２がある。このため、軸体１３１にある切り込み１３２は、空気供給接続管１４から進入する気体を阻まず、気体が切り込み１３２を経て、空気導入パーツ１３の空気穴１３４内に進入することができる。そして、軸体１３１のもう一方の先端の突起点１３５は、ノズルヘッド１２の作用室１２１と液体導入槽１３３の間に隙間を形成して、香水液が通りやすいようにする。気体が空気供給接続管１４から進入する時は、空気導入パーツ１３の切り込み１３２と空気供給接続管１４の結合穴１４１が形成する隙間から進入する。この気体が空気導入パーツ１３から進入すると、圧力によって香水液を本体１１内部に送られる。気体と液体である香水が混合すると、香水液は空気導入パーツ１３の軸体１３１の突起点１３５及びノズルヘッド１２の作用室１２１の間の隙間から噴出されて、均一の霧を形成する。
【００１２】
図３、図４及び図８を参照いただきたい。ノズル１下方に結合された漏れを防ぐ構造は、固定ケース２、内側のはめ込みパーツ３、回転軸４、液体導入管５、外側カバー６を備えている。そのうち、外側カバー６内部には、固定ケース２、内側のはめ込みパーツ３、及び、回転軸４が設置されて、さらに、回転軸４とノズル１がはめ込まれて組み合わされる。
【００１３】
外側カバー６内の固定ケース２は、その内部の螺旋状の結合部分２２が香水の瓶８と結合するようになっている。固定ケース２上方にはくぼんだ環状槽２１があり、その内側には平らな接続部２１１があって、前述くぼんだ環状槽２１は内側のはめ込みパーツ３を収納して結合するようになっている。
【００１４】
前述内側のはめ込みパーツ３の結合本体３１は、固定ケース２のくぼんだ環状槽２１と互いにその平らな接続部２１１及び平らに切断された面３１３で組み合わさる。内側のはめ込みパーツ３下端の接続部分３３は、固定ケース２の中に入り込むような形で設置される。内側のはめ込みパーツ３の結合本体３１内には、固定結合槽３１１があって、固定結合槽３１１の中心は収納室３２に通じる。収納室３２の下方に、一体で接続された接続部分３３は、液体導入管５を接続する。
【００１５】
前述回転軸４内には通り穴４１があって、その外縁上下部分には、O型リング４７がはめ込まれ、回転軸４にはワッシャー４８がはめ込まれる。ワッシャー４８が回転軸４の突起環状部分４３の下方及び固定ケース２の間の結合部分に設置されることで気密状態となり、漏れを防ぐことが可能になる。そして、回転軸４の外縁の中ほどに突起環状部分４３が設置されて、この突起環状部分４３からO型リング４７までの間には、軸方向に液体導入槽４２がある。そして、回転軸４が内側のはめ込みパーツ３の収納室３２内に設置されて回転による摩擦音が生じるのを防ぐために、回転軸４にくぼんだ進入部４４があって、摩擦音の発生を防いで、音を消す効果を発揮する。
【００１６】
内側のはめ込みパーツ３の収納室３２には、貫通方向に空気穴があって、収納室３２底部の内部には、止まり３２３があり、底面には中心から偏った導入穴３２２がある。この導入穴３２２並びに接続部分３３が通じている。回転軸４が内側のはめ込みパーツ３内に設置される際、回転軸４の突起環状部分４３は、内側のはめ込みパーツ３の固定結合槽３１１内に収納される。一部の回転軸４は収納室３２の中に収納されて、回転軸４と内側のはめ込みパーツ３が緩んで離脱するのを防いでいる。したがって、回転軸４には固定環状片３４がはめ込まれ、固定環状片３４が固定結合槽３１１内の固定突起環状部分３１２によってしっかりと固定されて、固定突起環状部分３１２によってしっかりと固定されることで、回転軸４が安定して内側のはめ込みパーツ３と結合し、回転軸４が内側のはめ込みパーツ３から離脱して外れるということがない。
【００１７】
また、回転軸４及び内側のはめ込みパーツ３は、いずれも固定ケース２が取り付けられてから、固定ケース２外部は、外側カバー６によってこれらのパーツをいずれもしっかりと固定する。
【００１８】
本考案の使用状態は、図５、図６を参照いただきたい。回転軸４の先端はノズル１に固定接続されていて、ノズル１が回転すると回転軸４も共に回転する。回転軸４底部にあるくぼみ槽４６は約９０度の角度であり、そこに結合される内側のはめ込みパーツ３の収納室３２にある止まり３２３は、回転軸４の回転角度を制限することができる。回転軸４が回転して、回転軸４底部の突起４５の動きをコントロールする。
【００１９】
どのようにして回転軸４と内側のはめ込みパーツ３の間の駅の通り道を閉鎖するかについては、図５及び図６を参照いただきたい。ノズル１が回転して、約９０度の角度になった時、それに接続する回転軸４も共に回転する。同時に、回転軸４底部の突起４５が内側のはめ込みパーツ３の導入穴３２２を塞ぎ、香水液が流れる導入穴３２２を閉鎖することにより、香水液が香水の瓶の中に封じ込まれて外に漏れ出すことがない。
【００２０】
さらに、本考案のノズルが香水を噴霧する使用時の構造については、図７、図８を参照いただきたい。前述の構造は、ノズル１が回転軸４を動かして回転させることで、香水液が漏れ出すのを防いだ。ノズル１を開く時には、わずかに反対方向に焼く９０度回転させる。この時、回転軸４底部にある突起４５が内側のはめ込みパーツ３の導入穴３２２から離脱して、突起４５が収納室３２に当たり、香水液の通り道を形成して、香水が回転軸４内の通り穴４１に導き入れられて、さらに、ノズル１から香水液が噴出される。
【００２１】
また、香水液が噴出される時、香水瓶内の圧力が大きくなり過ぎて、香水液が噴出した後一時的に香水瓶内の圧力のバランスが取れなくなるのを防ぐため、内側のはめ込みパーツ３の空気穴３２１が、気体を対流させて、気圧を平均に保ち、液が漏れだすのを防いでいる。
【００２２】
本考案の香水スプレーノズルの漏れを防ぐ構造は、角度を回転させることにより、香水液の開閉を行うものである。したがって、スプレーを使用しない時、あるいは、運搬の際には、ノズル１を回転させて、回転軸４の位置を移動させることで、簡単に内部の通り道を閉鎖することができる。したがって、運搬の過程や高温、高圧によって、香水液が漏れだすという状況が発生しない。さらに、使用時には、わずかにノズルを回転させるだけで、その通り道を開けることができ、香水液をスムーズに噴出させることが可能である。
【図面の簡単な説明】
【００２３】
【図１】本考案のノズルユニットの構造を示した立体外観図である。
【図２】本考案のノズルの構造を示した部分立体分解図である。
【図３】本考案の漏れを防ぐ構造の立体分解図である。
【図４】本考案の漏れを防ぐ構造の部分断面分解図である。
【図５】本考案のノズルが回転して閉鎖する様子を示した立体図である。
【図６】本考案のノズルの閉鎖した状態を示した断面図である。
【図７】本考案のノズルが回転して内側の導入口を開く状態を示した立体図である。
【図８】本考案のノズルの内側の導入口を開いた状態を示した断面図である。
【符号の説明】
【００２４】
１        ノズル
１１      本体
１１１    水平方向の収納穴    
１１２    軸方向の通り穴
１１３    くぼんだ環状槽
１１４    環状槽
１２      ノズルヘッド
１２１    作用室
１２２    ノズル穴
１３      空気導入パーツ
１３１    軸体
１３２    切り込み
１３３    液体導入槽
１３４    空気穴
１３５    突起点
１４      空気供給接続管
１４１    結合穴
１４２    縮小口
１４３    突起した環状部分
１５      ボール
１６      キャップ
２        固定ケース
２１      くぼんだ環状槽
２１１    平らな接続部
３        内側のはめ込みパーツ
３１      結合本体
３１１    固定結合槽
３１２    固定突起環状部分
３１３    平らに切断された面
３２      収納室
３２１    空気穴
３２２    導入穴
３２３    止まり
３３      接続部分
３４      固定環状片
４        回転軸
４１      通り穴
４２      液体導入槽
４３      突起環状部分
４４      くぼんだ進入部
４５      突起
４６      くぼみ槽
４７      O型リング
４８      ワッシャー
５        液体導入管
６        外側カバー
【図１】
0003127612.tif 000003
【図２】
0003127612.tif 000004
【図３】
0003127612.tif 000005
【図４】
0003127612.tif 000006
【図５】
0003127612.tif 000007
【図６】
0003127612.tif 000008
【図７】
0003127612.tif 000009
【図８】
0003127612.tif 000010